(57)【要約】【課題】容器からの脱落を抑制することが可能な首掛け景品を提供する。【解決手段】首掛け景品２０は、容器１０の首部１０ｂに掛けるためにシート状の吊り下げ具４０が景品３０に取り付けられたものである。吊り下げ具４０は、フィルム４４の表面に粘着層４６が配置された粘着フィルム４２と、粘着層４６の一端側の一の領域を覆わないように粘着層４６の他の領域に貼り付けられた補強層４８とを備える。吊り下げ具４０には、容器１０の首部１０ｂを挿通させるための貫通孔が粘着フィルム４２及び補強層４８を貫通するように形成されている。粘着層４６の一の領域は景品３０の外表面に貼り付けられている。【選択図】図２
2015101349.tif 000002
【特許請求の範囲】
【請求項１】
容器の首部に掛けるためにシート状の吊り下げ具が景品に取り付けられた首掛け景品であって、
前記吊り下げ具は、
フィルムの表面に粘着層が配置された粘着フィルムと、
前記粘着層の一端側の一の領域を覆わないように前記粘着層の他の領域に貼り付けられた補強層とを備え、
前記吊り下げ具には、前記容器の前記首部が挿通される貫通孔が前記粘着フィルム及び前記補強層を貫通するように形成され、
前記粘着層の前記一の領域は前記景品の外表面に貼り付けられている、首掛け景品。
【請求項２】
前記補強層の厚さは前記粘着フィルムの厚さ以上である、請求項１に記載の首掛け景品。
【請求項３】
前記補強層が貼り付けられた前記粘着層の前記他の領域と、前記粘着層の前記一の領域との境界線は、前記吊り下げ具の厚さ方向から見て、前記吊り下げ具の幅方向にわたって直線状又は凹凸を有する非直線状に延びている、請求項１又は２に記載の首掛け景品。
【請求項４】
前記粘着フィルムは透明である、請求項１〜３のいずれか一項に記載の首掛け景品。
【請求項５】
前記景品の前記外表面に貼り付けられた前記吊り下げ具が前記景品に近接した伏臥状態において、前記吊り下げ具の自由端部分の先端が前記景品と重なり合わないように、前記吊り下げ具が前記景品に取り付けられている、請求項１〜４のいずれか一項に記載の首掛け景品。
【請求項６】
前記吊り下げ具の幅は前記景品の幅よりも小さい、請求項１〜５のいずれか一項に記載の首掛け景品。
【請求項７】
前記景品の中央部は周縁よりも厚さ方向に膨らんでいる、請求項１〜６のいずれか一項に記載の首掛け景品。
【請求項８】
前記景品は、袋状体と、前記袋状体内に収納された物品とを含み、
前記袋状体の周縁には、前記袋状体の開封を補助するための切欠きが形成されており、
前記切欠きの延長線上に前記粘着層が重ならないように、前記吊り下げ具が前記景品に取り付けられている、請求項７に記載の首掛け景品。
【請求項９】
本体部と、前記本体部よりも細く且つ先端部に注ぎ口が形成された首部とを有する首掛け景品付き容器であって、
前記粘着フィルムが前記注ぎ口側で且つ前記補強層が前記本体部側に位置するように、請求項１〜８のいずれか一項に記載の首掛け景品が前記首部に掛けられた、首掛け景品付き容器。
【請求項１０】
容器の首部に景品を掛けるためのシート状の吊り下げ具であって、
フィルムの表面に粘着層が配置された粘着フィルムと、
前記粘着層の一端側の一の領域を覆わないように前記粘着層の他の領域に貼り付けられた補強層とを備え、
前記粘着フィルム及び前記補強層には、前記容器の前記首部が挿通される貫通孔がこれらを貫通するように形成されている、吊り下げ具。
【発明の詳細な説明】
【技術分野】
【０００１】
本発明は、首掛け景品、首掛け景品付き容器、及び吊り下げ具に関する。
【背景技術】
【０００２】
従来、ボトル状の商品の販売促進を目的として、首掛け景品を商品の首部に掛けて、首掛け景品を物品と共に頒布することが行われている。首掛け景品は、試供品（例えば、食品、化粧品、医薬部外品、洗剤）や玩具といった物品が、袋等に収納されたものである。なお、上記のような試供品を景品とする場合、商品の販売促進に加えて、試供品の宣伝広告も行える。
【０００３】
特許文献１は、上記のような販売促進を目的として、首掛け景品用の収納具の一例を開示している。特許文献１の収納具は、物品を収納する袋状収納部と、当該袋状収納部とは別体の間隔片とを備える。間隔片の一端側には、ボトル類の首部が挿通される貫通孔が形成されている。間隔片の他端側には、接着部が設けられている。袋状収納部の中央部分には、袋側接着部が設けられている。間隔片の接着部は、袋側接着部と接着されている。
【先行技術文献】
【特許文献】
【０００４】
【特許文献１】特許第４１６９２５８号公報
【発明の概要】
【発明が解決しようとする課題】
【０００５】
しかしながら、特許文献１に記載の収納具を用いて景品を商品の首部に掛けた場合、首掛け景品付き容器の箱への出し入れの際や、首掛け景品付き容器の搬送の際に、首掛け景品が商品から脱落する虞があった。このような脱落が生ずると、首掛け景品を再び商品に取り付ける手間が生じ、作業効率が低下してしまう。
【０００６】
そのため、本発明の目的は、容器からの脱落を抑制することが可能な首掛け景品、首掛け景品付き容器、及び吊り下げ具を提供することにある。
【課題を解決するための手段】
【０００７】
本発明の一つの観点に係る首掛け景品は、容器の首部に掛けるためにシート状の吊り下げ具が景品に取り付けられた首掛け景品であって、吊り下げ具は、フィルムの表面に粘着層が配置された粘着フィルムと、粘着層の一端側の一の領域を覆わないように粘着層の他の領域に貼り付けられた補強層とを備え、吊り下げ具には、容器の首部が挿通される貫通孔が粘着フィルム及び補強層を貫通するように形成され、粘着層の一の領域は景品の外表面に貼り付けられている。
【０００８】
本発明の一つの観点に係る首掛け景品では、吊り下げ具のうち粘着層の一の領域に対応する第１の部分が、粘着層及びフィルムの２層で構成されている。そのため、当該第１の部分は柔軟性を有している。これに対し、吊り下げ具のうち粘着層の他の領域に対応する第２の部分が粘着層、フィルム及び補強層の３層で構成されている。そのため、当該第２の部分は比較的高い剛性を有している。すなわち、第１の部分と第２の部分との境界部分において比較的大きな可撓性が得られる。従って、吊り下げ具の自由端をなす第２の部分が景品から離れるように吊り下げ具が曲げられると、第２の部分が景品側に近づこうとする復元力が、第１の部分と第２の部分との間の境界部分を支点として生ずる。その結果、本発明の一つの観点に係る首掛け景品を容器に取り付けると、第２の部分が景品に対して起立した起立状態となるため、第２の部分に生じた復元力によって首掛け景品が容器に当接した状態が保たれる。以上より、容器から首掛け景品が脱落することを抑制できる。
【０００９】
加えて、首掛け景品を容器に取り付ける際に、吊り下げ具の自由端をなす第２の部分の先端を容器の頭部に当接させた状態で首掛け景品を下方に移動させると、上記の復元力により、当接が保たれたまま第２の部分が起立状態に近づく。そのため、首掛け景品を下方に移動させるだけで、貫通孔が自然に首部に挿通される。その結果、首掛け景品を容易に容器に取り付けることが可能となる。
【００１０】
補強層の厚さは粘着フィルムの厚さ以上であってもよい。この場合、吊り下げ具のうち粘着層の他の領域に対応する第２の部分の剛性が、より高まる。そのため、上記の復元力がより大きくなる。従って、容器から首掛け景品が脱落することをより抑制できると共に、首掛け景品をより容易に容器に取り付けることができる。
【００１１】
補強層が貼り付けられた粘着層の他の領域と、粘着層の一の領域との境界線は、吊り下げ具の厚さ方向から見て、吊り下げ具の幅方向にわたって直線状又は凹凸を有する非直線状に延びていてもよい。境界線が直線状である場合には、吊り下げ具をより容易に製造できる。一方、境界線が凹凸を有する非直線状である場合には、第２の部分が景品に対して起立した起立状態においても、粘着層のうち境界線によって凸状を呈する部分が景品に付着した状態が保たれやすい。そのため、第２の部分が景品側に近づこうとする復元力がより大きくなる。そのため、容器から首掛け景品が脱落することをさらに抑制できると共に、首掛け景品をさらに容易に容器に取り付けることができる。
【００１２】
粘着フィルムは透明であってもよい。この場合、吊り下げ具が取り付けられた後であっても、景品の外装が見えやすくなる。
【００１３】
景品の外表面に貼り付けられた吊り下げ具が景品に近接した伏臥状態において、吊り下げ具の自由端部分の先端が景品と重なり合わないように、吊り下げ具が景品に取り付けられていてもよい。この場合、首掛け景品を容器に取り付ける際に、吊り下げ具の自由端をなす第２の部分の先端を容器の頭部に当接させやすくなる。そのため、首掛け景品の容器への取り付けがより簡便に行える。
【００１４】
吊り下げ具の幅は景品の幅よりも小さくてもよい。この場合、粘着層の一の領域の全部が景品に貼り付くので、粘着層が景品以外に貼り付いてしまう虞がほとんどない。また、首掛け景品の全体としての大きさが小さくなるので、より多くの首掛け景品を箱等に効率的に収容できる。その結果、運送効率を高めることができる。
【００１５】
景品の中央部は周縁よりも厚さ方向に膨らんでいてもよい。この場合、景品に取り付けられた吊り下げ具は、景品の外形に沿って湾曲する。そのため、第２の部分が景品側に近づこうとする復元力がより大きくなるので、容器からの脱落をより抑制できる。
【００１６】
袋状体の周縁には、袋状体の開封を補助するための切欠きが形成されており、切欠きの延長線上に粘着層が重ならないように、吊り下げ具が景品に取り付けられていてもよい。この場合、吊り下げ具を景品から取り除かなくても、景品の袋状体内に収納された物品を取り出すことができる。
【００１７】
本発明の他の観点に係る首掛け景品付き容器は、本体部と、本体部よりも細く且つ先端部に注ぎ口が形成された首部とを有する首掛け景品付き容器であって、粘着フィルムが注ぎ口側で且つ補強層が本体部側に位置するように、上記のいずれかの首掛け景品が首部に掛けられている。
【００１８】
本発明の他の観点に係る吊り下げ具は、容器の首部に景品を掛けるためのシート状の吊り下げ具であって、フィルムの表面に粘着層が配置された粘着フィルムと、粘着層の一端側の一の領域を覆わないように粘着層の他の領域に貼り付けられた補強層とを備え、粘着フィルム及び補強層には、容器の首部が挿通される貫通孔がこれらを貫通するように形成されている。
【発明の効果】
【００１９】
本発明によれば、容器からの脱落を抑制することが可能な首掛け景品、首掛け景品付き容器、及び吊り下げ具を提供できる。
【図面の簡単な説明】
【００２０】
【図１】図１は、本実施形態に係る首掛け景品付き容器を示す斜視図である。
【図２】図２は、図１のうち首掛け景品を主に示す側面図である。
【図３】図３は、首掛け景品を示す正面図である。
【図４】図４は、吊り下げ具を示す図である。
【図５】図５は、首掛け景品を容器の首部に取り付ける様子を説明するための図である。
【図６】図６は、従来の首掛け景品と本実施形態に係る首掛け景品との相違を説明するための図である。
【図７】図７は、吊り下げ具の他の例を示す図である。
【発明を実施するための形態】
【００２１】
本発明の実施形態について図面を参照して説明するが、以下の本実施形態は、本発明を説明するための例示であり、本発明を以下の内容に限定する趣旨ではない。説明において、同一要素又は同一機能を有する要素には同一符号を用いることとし、重複する説明は省略する。
【００２２】
本実施形態に係る首掛け景品付き容器１は、図１及び図２に示されるように、容器１０と、首掛け景品２０とを備える。容器１０は、内部に液体等の商品（例えば、飲料、洗剤、調味料）を貯留可能な本体部１０ａと、本体部１０ａよりも細く且つ本体部１０ａの端部から一体的に延びる首部１０ｂと、首部１０ｂの先端に形成された注ぎ口１０ｃと、首部１０ｂに着脱可能な蓋部１０ｄとを有する。蓋部１０ｄが首部１０ｂに装着された状態では、注ぎ口１０ｃは蓋部１０ｄによって閉塞され、本体部１０ａ内の商品が注ぎ口１０ｃから外部に漏出することが防がれる。
【００２３】
首掛け景品２０は、図１〜図３に示されるように、景品３０と、吊り下げ具４０とを有する。より詳しくは、首掛け景品２０は、景品３０の外表面に吊り下げ具４０が取り付けられた（貼り付けられた）ものである。詳しくは後述するが、首掛け景品２０は、吊り下げ具４０を介して容器１０の首部１０ｂに取り付けられている。このような首掛け景品２０は、容器１０内の商品の販売促進を目的として、容器１０の首部１０ｂに掛けて頒布される。また、景品３０が試供品の場合、商品の販売促進に加えて、試供品の宣伝広告も行える。
【００２４】
景品３０は、袋状体３２と、袋状体３２内に収納された物品３４とを含む。袋状体３２は、本実施形態において略平坦な矩形状を呈する。袋状体３２の材質としては、プラスチック、アルミ箔、アルミ蒸着フィルムを例示することができる。物品３４としては、ウエットシート（例えば、化粧用シート、清拭シート）、ドライの不織布シート（例えば、メガネ拭き、クリーナー）、試供品（例えば、食品、化粧品、医薬部外品、洗剤）や玩具（例えば、カード、立体的な人形）を例示することができる。そのため、物品３４が袋状体３２内に収納されていると、景品３０の中央部が、周縁部よりも厚さ方向に膨らんだ状態となる。
【００２５】
袋状体３２の周縁には、図１及び図３に示されるように、袋状体３２の開封を補助するための切欠き３２ａが形成されていてもよい。本実施形態では、切欠き３２ａは、袋状体３２の各長辺にそれぞれ形成されている。各切欠き３２ａは共に、袋状体３２の一方の短辺寄りに位置している。袋状体３２の当該一方の短辺から各切欠き３２ａまでの距離は、共に略等しくなるよう設定されている。
【００２６】
吊り下げ具４０は、図２及び図４に示されるように、シート状を呈している。具体的には、吊り下げ具４０は、粘着フィルム４２と、補強層４８とを有する。粘着フィルム４２の一端側は半円状を呈しており、粘着フィルム４２の他端側は矩形状を呈している。すなわち、粘着フィルム４２は、一端側が丸みを帯びたいわゆる舌片形状を呈している。
【００２７】
粘着フィルム４２は、透明なフィルム４４と、フィルム４４の表面全体に配置された透明な粘着層４６とを含む。そのため、粘着フィルム４２は、全体として透明である。フィルム４４は、プラスチックフィルムであると好ましい。具体的には、フィルム４４として例えば、ＰＥＴフィルムや、ポリプロピレン（ＰＰ）フィルムや、塩化ビニル（ＰＶＣ）フィルムが挙げられる。フィルム４４の厚さは、例えば１６μｍ〜１００μｍ程度に設定してもよいし、例えば５０μｍ程度に設定してもよい。粘着層４６は、接着剤により形成されていると好ましい。具体的には、粘着層４６を形成する接着剤として例えば、アクリル樹脂系接着剤、ゴム系接着剤、ウレタン系接着剤、シリコーン系接着剤が挙げられる。粘着層４６の厚さは、例えば１０μｍ〜４０μｍ程度に設定してもよいし、例えば２０μｍ程度に設定してもよい。
【００２８】
補強層４８は、粘着フィルム４２（粘着層４６）の一端側（半円状側）の領域Ａ１に貼り付けられている。すなわち、補強層４８は、粘着フィルム４２（粘着層４６）の他端側（矩形状側）の領域Ａ２には貼り付けられていない。従って、領域Ａ１においては粘着層４６が補強層４８によって覆われて外部に露出しておらず、領域Ａ２においては粘着層４６が補強層４８によって覆われておらず外部に露出している。補強層４８は、粘着フィルム４２よりも高い剛性を有してもよい。補強層４８の厚さは、特に限定されないが、粘着フィルム４２の厚さ以上であってもよく、この場合には例えば８０μｍ程度に設定してもよい。このような補強層４８の材料としては、紙（例えばコート紙）やフィルム材（例えば、合成紙、ＰＥＴフィルム、ＰＰフィルム）が好ましい。
【００２９】
粘着フィルム４２のうち領域Ａ１に相当する部分には、図１〜図４に示されるように、貫通孔４０ａが形成されている。すなわち、貫通孔４０ａは、粘着フィルム４２（フィルム４４及び粘着層４６）と補強層４８とを貫通している。貫通孔４０ａの大きさは、首部１０ｂ及び蓋部１０ｄよりも大きく、且つ、本体部１０ａの大きさよりも小さい。そのため、図１及び図２に示されるように、首部１０ｂ及び蓋部１０ｄが貫通孔４０ａ内に挿通された場合、首掛け景品２０が容器１０の首部１０ｂに取り付けられる。換言すれば、景品３０が吊り下げ具４０を介して容器１０の首部１０ｂに取り付けられる。
【００３０】
本実施形態において、粘着層４６のうち補強層４８が貼り付けられた領域Ａ１と、粘着層４６のうち補強層４８が貼り付けられていない領域Ａ２との境界線Ｌは、吊り下げ具４０の厚さ方向から見て、吊り下げ具４０の幅方向にわたって凹凸を有する非直線状に延びている。具体的には、図４（ａ）に示されるように、境界線Ｌは、円弧が１８０°ずつ反転しながら連なった正弦波状を呈している。なお、吊り下げ具４０が景品３０に貼り付けられる前には、粘着層４６を保護する目的で、粘着層４６のうち補強層４８が貼り付けられていない領域Ａ２に剥離シートＲが取り付けられている（図４（ｂ）参照）。
【００３１】
吊り下げ具４０の幅は、図３に示されるように、景品３０の幅よりも狭くなるように設定されている。同図に示されるように、切欠き３２ａの延長線上（本実施形態では、各切欠き３２ａを結ぶ直線上）と粘着層４６の領域Ａ２とが重なり合わないように、吊り下げ具４０が景品３０に貼り付けられている。同図に示されるように、吊り下げ具４０全体が景品３０に近接した伏臥状態において、吊り下げ具４０の自由端部分（粘着層４６のうち補強層４８が貼り付けられた領域Ａ１の先端部分）が景品３０と重なり合っていない。一方で、同図に示されるように、吊り下げ具４０全体が景品３０に近接した伏臥状態において、吊り下げ具４０の当該自由端部分以外の部分は景品３０と重なり合っている。
【００３２】
続いて、首掛け景品２０を容器１０に取り付けて首掛け景品付き容器１を製造する方法について説明する。まず、吊り下げ具４０の粘着層４６から剥離シートＲを剥がした後に、粘着層４６のうち領域Ａ２を景品３０の外表面に貼り付ける。これにより、吊り下げ具４０が景品３０に取り付けられ（貼り付けられ）、首掛け景品２０が得られる。なお、剥離シートＲを剥がす工程は、手作業で行ってもよいし、機械を用いて自動化してもよい。
【００３３】
続いて、図５に示されるように、吊り下げ具４０の自由端部分の先端を容器１０の蓋部１０ｄに当接させたまま、首掛け景品２０を下方に移動させる。すると、吊り下げ具４０の自由端部分（領域Ａ１の部分）が、次第に景品３０に対して起立した起立状態となる（図５（ｂ）参照）。吊り下げ具４０の自由端部分が景品３０（吊り下げ具４０の領域Ａ２の部分）に対して直交する程度まで起立すると、貫通孔４０ａが首部１０ｂ及び蓋部１０ｄに向かい合う。その結果、貫通孔４０ａが首部１０ｂ及び蓋部１０ｄに挿通され、首掛け景品２０が容器１０の首部１０ｂに取り付けられ、首掛け景品付き容器１が完成する。首掛け景品付き容器１の完成状態においては、図１に示されるように、粘着フィルム４２が注ぎ口１０ｃ側で且つ補強層４８が本体部１０ａ側に位置する。
【００３４】
ここで、図６（ａ）（ｂ）に、特許文献１に記載されたような首掛け景品用の収納具１００を示す。当該収納具１００においては、袋状収納部１１６ａ内に物品１１６ｂが収納された景品１１６と間隔片１１２とが接着部１１４によって接続されている。そのため、貫通孔１１２ａを容器１０の首部１０ｂに挿通して、間隔片１１２を介して景品１１６を容器１０に取り付けると（図６（ｂ）参照）、間隔片１１２が容易に変形してしまいうる。そのため、間隔片１１２を用いて景品１１６を容器１０に取り付けると、景品１１６が容器１０から脱落する懸念がある。
【００３５】
一方、本実施形態では、吊り下げ具４０のうち粘着層４６の領域Ａ２に対応する第１の部分が、粘着層４６及びフィルム４４の２層で構成されている。そのため、当該第１の部分は柔軟性を有している。これに対し、吊り下げ具４０のうち粘着層４６の領域Ａ１に対応する第２の部分が粘着層４６、フィルム４４及び補強層４８の３層で構成されると共に、補強層４８の厚さが粘着フィルム４２の厚さよりも大きい。そのため、当該第２の部分は比較的高い剛性を有している。すなわち、第１の部分と第２の部分との境界部分（領域Ａ１と領域Ａ２との境界線Ｌの近傍）において比較的大きな可撓性が得られる。従って、吊り下げ具４０の自由端部分が景品３０から離れるように吊り下げ具が曲げられると、吊り下げ具４０の自由端部分が景品３０側に近づこうとする復元力Ｆ１が、第１の部分と第２の部分との間の境界部分を支点として生ずる（図６（ｄ）参照）。その結果、首掛け景品２０を容器１０に取り付けると、吊り下げ具４０の自由端部分が景品３０に対して起立した起立状態となるため、吊り下げ具４０の自由端部分に生じた復元力Ｆ１によって首掛け景品２０が容器１０に当接した状態が保たれる。以上より、容器１０から首掛け景品２０が脱落することを抑制できる。
【００３６】
また、特許文献１に記載されたような首掛け景品用の収納具１００では、間隔片１１２全体が景品１１６に近接した伏臥状態において、間隔片１１２が景品１１６等の他の部材から付勢力を受けておらず、直線状に延びている（図６（ａ）参照）。そのため、景品１１６を容器１０に取り付けるために、間隔片１１２の自由端部分の先端を容器１０の蓋部１０ｄに当接させつつ収納具１００を下方に移動させると、間隔片１１２が座屈してしまう懸念がある。仮に、間隔片１１２の自由端部分と景品１１６との間に容器１０の蓋部１０ｄが入り込むように間隔片１１２の自由端部分が変形した場合であっても、間隔片１１２は接着部１１４を介して景品１１６に接続されているに過ぎないので、変形した間隔片１１２の自由端部分には元の伏臥状態に戻ろうとする復元力がほとんど作用しない。従って、この場合、間隔片１１２の自由端部分の先端を容器１０の蓋部１０ｄに当接させつつ収納具１００を下方に移動させるだけでは、間隔片１１２の自由端部分が捲れ上がってしまい、景品１１６を容器１０に取り付けられない懸念がある。
【００３７】
一方、本実施形態では、図６（ｃ）に示されるように、吊り下げ具４０全体が景品３０に近接した伏臥状態において、補強層４８が粘着フィルム４２と景品３０との間に位置しているため、補強層４８が粘着フィルム４２の領域Ａ１（吊り下げ具４０の自由端部分）を景品３０から離間させようとする付勢力Ｆ２を生じさせる。そのため、吊り下げ具４０の自由端部分の先端を容器１０の蓋部１０ｄに当接させるだけで、吊り下げ具４０の自由端部分が容易に景品３０から離れる。従って、吊り下げ具４０の自由端部分と景品３０との間に、容器１０の蓋部１０ｄが簡単に入り込む。しかも、首掛け景品２０を容器１０に取り付ける際に、吊り下げ具４０の自由端部分の先端を容器１０の蓋部１０ｄに当接させた状態で首掛け景品２０を下方に移動させると、上記の復元力Ｆ１により、当接が保たれたまま吊り下げ具４０の自由端部分が起立状態に近づく。そのため、首掛け景品２０を下方に移動させるだけで、貫通孔４０ａが自然に首部１０ｂ及び蓋部１０ｄに挿通される。これらの結果、人手の場合も機械を用いた場合も、首掛け景品２０を極めて効率よく容器１０に取り付けることができる。
【００３８】
さらに、特許文献１に記載されたような首掛け景品用の収納具１００では、容器１０からの脱落を防止するために、貫通孔１１２ａの直径を容器１０の蓋部１０ｄの直径よりも若干小さくし、放射状に延びる複数の切れ込み（図示せず）を貫通孔１１２ａの縁に形成することもある。この場合、収納具１００を容器１０に取り付けるためには、蓋部１０ｄに貫通孔１１２ａを押し付けながら、貫通孔１１２ａ内に蓋部１０ｄを押し込む必要が生ずる。そのため、収納具１００の容器１０への取り付けに時間がかかり、作業性に劣ることがあった。
【００３９】
一方、本実施形態では、上記のように首掛け景品２０を下方に移動させるだけで、貫通孔４０ａが自然に首部１０ｂ及び蓋部１０ｄに挿通される。そのため、作業性が極めて向上する。さらに、人手のみならず機械によっても首掛け景品２０を容器１０に取り付けることができるようになるので、作業の自動化にも貢献できる。加えて、本実施形態では、上記のように、吊り下げ具４０の自由端部分に生じた復元力Ｆ１によって首掛け景品２０が容器１０に当接した状態が保たれる。従って、容器１０から首掛け景品２０が脱落することも抑制されている。
【００４０】
本実施形態では、粘着層４６のうち補強層４８が貼り付けられた領域Ａ１と、粘着層４６のうち補強層４８が貼り付けられていない領域Ａ２との境界線Ｌが、正弦波状を呈している。そのため、吊り下げ具４０の自由端部分が景品３０に対して起立した起立状態においても、粘着層４６のうち境界線Ｌによって凸状を呈する部分が景品に付着した状態が保たれやすい。そのため、吊り下げ具４０の自由端部分が景品３０側に近づこうとする復元力Ｆ１がより大きくなるので、容器１０から首掛け景品２０が脱落することをより抑制できる。
【００４１】
本実施形態では、粘着フィルム４２が透明である。そのため、吊り下げ具４０が取り付けられた後であっても、景品３０の外装が見えやすくなる。例えば、景品３０の内容物が医薬部外品や化粧品などである場合、景品３０の外装に表示されたそれらの成分が隠れずに見えることが重要となる。そのため、このような場合に粘着フィルム４２が透明であることは、特に効果的である。
【００４２】
本実施形態では、景品３０の外表面に貼り付けられた吊り下げ具４０が景品３０に近接した伏臥状態において、吊り下げ具４０の自由端部分の先端が景品３０と重なり合わないように、吊り下げ具４０が景品３０に取り付けられている。そのため、首掛け景品２０を容器１０に取り付ける際に、吊り下げ具４０の自由端部分の先端を容器１０の蓋部１０ｄに当接させやすくなる。そのため、首掛け景品２０の容器１０への取り付けがより簡便に行える。
【００４３】
本実施形態では、吊り下げ具４０の幅が景品３０の幅よりも小さい。そのため、粘着層４６の領域Ａ２の全部が景品３０に貼り付くので、粘着層４６が景品３０以外に貼り付いてしまう虞がほとんどない。また、首掛け景品２０の全体としての大きさが小さくなるので、より多くの首掛け景品２０を箱等に効率的に収容できる。その結果、運送効率を高めることができる。
【００４４】
本実施形態では、景品３０の中央部は周縁よりも厚さ方向に膨らんでいる。そのため、景品３０に取り付けられた吊り下げ具４０は、景品３０の外形に沿って湾曲する。従って、吊り下げ具４０の自由端部分が景品３０側に近づこうとする復元力Ｆ１がより大きくなるので、容器１０からの脱落をより抑制できる。
【００４５】
本実施形態では、袋状体３２の周縁に形成された切欠き３２ａの延長線上に粘着層４６の領域Ａ２が重ならないように、吊り下げ具４０が景品３０に取り付けられている。そのため、吊り下げ具４０を景品３０から取り除かなくても、景品３０の袋状体３２内に収納された物品３４を取り出すことができる。
【００４６】
本実施形態では、粘着フィルム４２の厚さが補強層４８の厚さよりも薄いので、粘着フィルム４２は柔軟性を有している。そのため、粘着フィルム４２のうち領域Ａ２に対応する部分は、景品３０に貼り付けられた後も景品３０の外形の変形に追従して変形しやすい。従って、粘着フィルム４２が景品３０から剥がれ難い吊り下げ具４０を提供できる。
【００４７】
以上、本発明の実施形態について詳細に説明したが、本発明は上記した実施形態に限定されるものではない。例えば、本実施形態では境界線Ｌが正弦波状を呈していたが、直線状であってもよい（図７（ａ）参照）。この場合、吊り下げ具４０をより容易に製造できる。また、凹凸を有する他の非直線状であってもよい（図７（ｂ）〜（ｄ）参照）。例えば、図７（ｂ）では、境界線Ｌが鋸歯状（三角波状）を呈している。図７（ｃ）では、境界線Ｌが方形波状を呈している。図７（ｄ）では、境界線Ｌが、中央に向かうにつれて貫通孔４０ａに近づく緩やかな曲線状を呈している。もちろん、境界線Ｌが、中央に向かうにつれて貫通孔４０ａから遠ざかる緩やかな曲線状を呈していてもよいし、これらが直線状であってもよい。境界線Ｌがこれらのような凹凸を有する非直線状であると、境界線Ｌが正弦波状である場合と同様の効果を奏する。
【００４８】
粘着フィルム４２は透明でなくてもよい。一方、補強層４８が透明であってもよい。
【００４９】
吊り下げ具４０全体が景品３０に近接した伏臥状態において、吊り下げ具４０全体が景品３０と重なり合っていてもよい。
【００５０】
吊り下げ具４０の幅は、景品３０の幅と同程度であってもよいし、景品３０の幅よりも大きくてもよい。図７（ｅ）に示されるように、吊り下げ具４０のうち領域Ａ２に対応する部分の幅が、吊り下げ具４０のうち領域Ａ１に対応する部分の幅よりも小さくてもよい。
【００５１】
景品３０の厚みは、全体として均一であってもよい。
【００５２】
本実施形態のような切欠き３２ａに代えて、景品３０の周縁（袋状体３２の周縁）に微小な孔を複数形成して、任意の箇所で景品３０を開封可能としてもよい。
【符号の説明】
【００５３】
１…首掛け景品付き容器、１０…容器、１０ｂ…首部、１０ｃ…注ぎ口、２０…首掛け景品、３０…景品、３２…袋状体、３２ａ…切欠き、３４…物品、４０…吊り下げ具、４０ａ…貫通孔、４２…粘着フィルム、４４…フィルム、４６…粘着層、４８…補強層、Ｌ…境界線。
【図１】
2015101349.tif 000003
【図２】
2015101349.tif 000004
【図３】
2015101349.tif 000005
【図４】
2015101349.tif 000006
【図５】
2015101349.tif 000007
【図６】
2015101349.tif 000008
【図７】
2015101349.tif 000009